(57)【要約】【課題】組付け強度及び剛性に優れ、歩留まりの向上を図ることができるレンズ駆動装置を提供する。【解決手段】本発明のレンズ駆動装置１は、環状のヨーク３と、内周にヨーク３を装着すると共にベース５とフレーム３とでヨーク３を挟持しており、コイル１０に通電して生じる電磁力によりベース５に対してキャリア７をレンズ２３の光軸方向に駆動する。ベース５の対向部５ａ、及びフレーム６の対向部６ａと、ヨーク３の外周面３ａとの間にはこれらに囲まれた空間３１が形成されており、フレーム６の前面には、前記空間３１に連通する接着剤注入穴３９が形成されており、接着剤注入穴３９から前記空間３１内に注入した接着剤４１でベース５とフレーム６とヨーク３とを接着固定している。【選択図】図１
2007093865.tif 000002
【特許請求の範囲】
【請求項１】
環状のヨークと、内周にヨークを装着するベースと、ベースに対向配置してベースとの間にヨークを挟持するフレームと、ヨークの内周に設けてレンズを取付けた筒状のキャリアと、ヨークの内側に配置されるマグネットと、キャリアに固定され且つヨークの内側に配置されるコイルとを備え、コイルに通電して生じる電磁力によりベースに対してキャリアをレンズの光軸方向に駆動するレンズ駆動装置であって、
ベースとフレームとは、ヨークの外周側で互いに対向する対向部を有し、ベースの対向部及びフレームの対向部と、ヨークの外周面との間にはこれらに囲まれた空間が形成されており、フレーム及びベースの少なくとも一方の外面には、前記空間に連通する接着剤注入穴が形成されており、接着剤注入穴から前記空間内に注入した接着剤でベースとフレームとヨークとを接着固定していることを特徴とするレンズ駆動装置。
【請求項２】
フレーム又はベースの一方は、他方の外周縁に係止する係止爪を備え、ベースにフレームを係止した後、接着剤注入穴から接着剤を注入してベースとフレームとヨークとを接着固定していることを特徴とする請求項１に記載のレンズ駆動装置。
【請求項３】
接着剤注入穴はフレームの前面に形成されており、且つ接着剤を充填する前記空間はベースとフレームとの組付け方向に沿って形成していることを特徴とする請求項２に記載のレンズ駆動装置。
【請求項４】
ヨークは円環状であり、キャリアは円筒状であり、フレーム及びベースは平面視矩形であり、ベースとフレームとの各対向部、接着剤注入穴及び接着剤を充填する前記空間は、ベース及びフレームの矩形の角部に設けてあり、且つ角部に設けた係止爪の内周側に配置されていることを特徴とする請求項３に記載のレンズ駆動装置。
【発明の詳細な説明】
【技術分野】
【０００１】
本発明は、小型カメラや携帯電話等に搭載され、レンズを光軸方向に駆動するレンズ駆動装置に関する。
【背景技術】
【０００２】
特許文献１には、略円筒状のヨークと、ヨークを挟持するベースとフレームと、ヨークの内周側に設けてレンズを取付けたキャリアと、コイルと、マグネットとを備え、コイルに通電して生じる電磁力によりベースとフレームに対してキャリアをレンズの光軸方向に移動するレンズ駆動装置が開示されている。
【０００３】
特許文献１のベースとフレームとは、フレームの外周部に設けた係止爪によりフレームをベースに係止して組み付けている。また、ヨークの固定については開示されていないが、ベースに接着剤で接着固定することが公知である。
【０００４】
【特許文献１】特開２００５−１２８４０５号公報
【発明の開示】
【発明が解決しようとする課題】
【０００５】
しかし、上述の特許文献１に記載の従来技術では、ベースとフレームとの固定は係止爪による係止のみである為、組付け強度に劣るという問題がある。特に、小型化の要求に応じてベース及びフレームが薄肉化しているが、このような薄肉化により、ベース及びフレーム自体やこれらの接合部（係止部）の剛性が低下するという問題がある。
【０００６】
また、ベースにヨークを接着固定する公知技術では、接着剤がヨークから内周側にはみ出すと、キャリアの移動を阻害する等の悪影響を与えるため、歩留まりが低下するという問題がある。
【０００７】
そこで、本発明は、組付け強度及び剛性に優れ、歩留まりの向上を図ることができるレンズ駆動装置の提供を目的とする。
【課題を解決するための手段】
【０００８】
前記課題を解決するために、請求項１に記載された発明は、環状のヨークと、内周にヨークを装着するベースと、ベースに対向配置してベースとの間にヨークを挟持するフレームと、ヨークの内周に設けてレンズを取付けた筒状のキャリアと、ヨークの内側に配置されるマグネットと、キャリアに固定され且つヨークの内側に配置されるコイルとを備え、コイルに通電して生じる電磁力によりベースに対してキャリアをレンズの光軸方向に駆動するレンズ駆動装置であって、ベースとフレームとは、ヨークの外周側で互いに対向する対向部を有し、ベースの対向部及びフレームの対向部と、ヨークの外周面との間にはこれらに囲まれた空間が形成されており、フレーム及びベースの少なくとも一方の外面には、前記空間に連通する接着剤注入穴が形成されており、接着剤注入穴から前記空間内に注入した接着剤でベースとフレームとヨークとを接着固定していることを特徴とする。
【０００９】
請求項２に記載された発明は、請求項１に記載の発明において、フレーム又はベースの一方は、他方の外周縁に係止する係止爪を備え、ベースにフレームを係止した後、接着剤注入穴から接着剤を注入してベースとフレームとヨークとを接着固定していることを特徴とする。
【００１０】
請求項３に記載された発明は、請求項２に記載の発明において、接着剤注入穴はフレームの前面に形成されており、且つ接着剤を充填する前記空間はベースとフレームとの組付け方向に沿って形成していることを特徴とする。
【００１１】
請求項４に記載された発明は、請求項３に記載の発明において、ヨークは円環状であり、キャリアは円筒状であり、フレーム及びベースは平面視矩形であり、ベースとフレームとの各対向部、接着剤注入穴及び接着剤を充填する前記空間は、ベース及びフレームの矩形の角部に設けてあり、且つ角部に設けた係止爪の内周側に配置されていることを特徴とする。
【発明の効果】
【００１２】
請求項１に記載の発明において、レンズ駆動装置の組立ては、例えば、ベースにヨーク及びマグネット（又はコイル）を取付けて、キャリアにコイル（又はマグネット）を取付けて、ベースにキャリアを装着した後、ベースの対向部とフレームの対向部とを対向配置し、ベースとフレームとを組付ける。そして、接着剤注入穴から接着剤を注入してヨークの外周面と各対向部との間で規定する空間内に接着剤を充填する。接着剤はヨークの外周面とベース及びフレームの各対向部とを同時に接着固定する。その後、キャリアにレンズを取付けるが、レンズは予めキャリアに取付けておいてもよい。
【００１３】
本発明によれば、接着剤注入穴に接着剤を注入するだけで、ヨークとベースとフレームとの三者を強固に固定することができる。
【００１４】
接着剤はベースとフレームとの各対向部とヨークの外周面とで囲まれた空間に注入するから、接着剤が空間からヨークの内周側に食み出してキャリアの移動を阻害する等の悪影響を防止でき、接着剤の食み出しによる歩留まり低下を防止できる。
【００１５】
フレーム又はベースに形成された接着剤注入穴に接着剤を注入するだけであるから、接着剤による固定が容易であり、製造し易い。
【００１６】
接着剤はベースとフレームとの対向部とヨークとで囲まれた空間に充填するから、ベースやフレームが薄肉であっても接着剤が肉厚となり、またヨーク（金属部品）と一体になる事で、剛性を高めることができる。
【００１７】
請求項２に記載された発明によれば、請求項１に記載の発明と同様の効果を奏すると共に、フレーム又はベースの一方には、他方の外周縁に係止する係止爪を有しているので、接着固定前にベースとフレームとを互いに係止して位置決めし、安定した状態とした後に接着剤の注入ができ、製造しやすい。
【００１８】
係止爪による仮止めができるので、仮止め後に検査を行って、検査後に接着剤を注入して本止めすることもできるので、検査結果によっては必要な部品を交換して製造でき、歩留まり向上を図ることができる。
【００１９】
請求項３に記載された発明によれば、請求項２に記載の発明と同様の効果を奏すると共に、接着剤の充填空間はフレームの前面から、ベースとフレームとの組付け方向に沿って設けているので、接着剤の充填空間を組付け方向に長く形成できるから、必要に応じて接着剤が肉厚となる部分を長く取って剛性を十分に高くすると共に接着強度を高めることができ、設計の自由度が高い。
【００２０】
請求項４に記載された発明によれば、請求項３に記載の発明と同様の効果を奏すると共に、円環状のヨークに対して、ベースとフレームとの角部に接着剤注入穴、接着剤の充填空間及び係止爪を配置しているので、接合部を集約できるから、製造し易く且つコンパクトである。
【発明を実施するための最良の形態】
【００２１】
以下に、添付図面を参照して、本発明の実施の形態を詳細に説明する。図１は図２に示すレンズ駆動装置のヨーク、ベース及びフレームの組付け部分を切断して示す斜視図であり、図２は本実施の形態に係るレンズ駆動装置のキャップ及びカバーを外して示す斜視図であり、図３は本実施の形態に係るレンズ駆動装置の縦断面図であり、図４は本実施尾形態に係るレンズ駆動装置の分解斜視図である。
【００２２】
本実施形態に係るレンズ駆動装置１は、携帯電話のオートフォーカスカメラに組み込むものであり、図３及び図４に示すように、略円筒状のヨーク３と、ベース５と、ベース５と共にヨーク３を前後方向から挟持するフレーム６と、ヨーク３の内周側に配置されるキャリア７と、キャリア７の外周側に取付けられるコイル１０と、キャリア７の前側に配置される前側スプリング９及び後側に配置される後側スプリング１１とを備えている。ベース５、フレーム６及びキャリア７は各々樹脂製である。尚、ベース５には、フレーム６が装着されて外筒部を構成しており、フレーム６には前側面にカバー１５が貼着されており、カバー１５にはカバーテープ１７（図３では省略する）が貼着されている。尚、前側スプリング９及び後側スプリング１１は各々、内環と外環とを腕部で連結した構成となっている。
【００２３】
ヨーク３は、断面が略コ字状であり、コ字内にリング状のマグネット１３と、キャリア７に取付けられたコイル１０が配置されている。
【００２４】
前側スプリング９とヨーク３との間には、前側スペーサ１９が配置され、後側スプリング１１とキャリア７との間に後側スペーサ２１が配置されている。キャリア７にはその内周側に複数のレンズからなるレンズ体２３が取付けられている。
【００２５】
次に、ヨーク３、ベース５及びフレーム６について説明する。
図１及び図２に示すように、ベース５とフレーム６とは、ヨーク３の外周面３ａの外周側で前後方向において互いに対向配置する対向部５ａ、６ａを有している。ベース５とフレーム６とは、各々外形が平面視矩形であり、内周側が円形を成しており、ヨーク３とベース５とフレーム６との内周側に円筒形状のキャリア７を配置するようになっている。
【００２６】
ベース５の対向部５ａは、平面視矩形の各角部５ｂに設けてあり且つフレーム６側に突設している。フレーム６の対向部６ａは、平面視矩形の各角部６ｂにおいて、ベース側に突設している。ベースの対向部５ａとフレーム６の対向部６ａとは、ヨーク３の外周面３ａより外周側に離れて位置し、ヨーク３の外周面３ａと間隔をあけた位置で相互に当接している。
【００２７】
そして、ヨーク３の外周面３ａと、ベースの対向部５ａと、フレームの対向部６ａとで囲まれた空間３１を形成しており、この空間３１が接着剤充填空間を形成している。即ち、接着剤充填空間３１はベース５及びヨーク６の平面視矩形の各角部５ｂ、６ｂに設けてられている。各接着剤充填空間３１は、ヨーク６の外周面において、前後方向に沿って形成してあり、前側から全体の寸法の約１／３の深さに形成されている。
【００２８】
フレーム６の角部６ｂには、対向部６ａの外周側に係止爪３３を有する係止用脚部３５が設けてあり、ベース５に対してフレームを装着した際に、係止用脚部３５の弾性変形により係止爪３３がベース５の外周縁に設けた被係止部３７部に係止するようになっている。
【００２９】
フレーム６の前面には、各角部６ｂに接着剤注入穴３９が形成されており、接着剤注入穴３９は、接着剤充填空間３１に連通している。
【００３０】
次に、本実施の形態に係るレンズ駆動装置の組立て及び作用効果を説明する。レンズ駆動装置１の組立ては、キャリア７の後側端部７ｂに後側スプリング１１の内環を取付け、マグネット１３と、キャリア７に固定したコイル１０とをヨーク３の内部に配置して、ヨーク３をベース５に配置し、ベース５の基底部に後側スペーサ２１を介して後側スプリング１１の外環を固定する。
【００３１】
そして、キャリア７の先端部に前側スプリング９の内環を取付け、前側スペーサ１９とフレーム６との間に前側スプリング９の外環を配置してキャップ１５で固定すると共にベース５とフレーム６とでヨーク３を挟むように、ベース５にフレーム６を組付ける。
【００３２】
ベース５にフレーム６を押し込むことにより、フレーム６に設けた係止用脚部３５が弾性変形して、係止爪３３がベース５の被係止部３７に係止する。ベース５とフレーム６との仮止め及び位置決めは、ベース５に対するフレーム６の押込みにより簡単にできる。
【００３３】
ベース５にフレーム６を仮止め後、フレーム６の各角部６ｂに設けた接着剤注入穴３９から接着剤充填空間３１に接着剤４１を充填する。
接着剤４１の充填後に、必要に応じて検査した後、フレーム６の前面にカバー１５、及びカバーテープ１７を装着し、レンズ体２３をキャリア７にねじ込む。
【００３４】
本実施の形態によれば、フレーム６に形成した接着剤注入穴３９に接着剤４１を注入するだけで、ヨーク３とベース５とフレーム６との三者を接着剤４１により強固に固定することができる。
【００３５】
レンズ駆動装置１の各部品を組付け後に、フレーム６に形成された接着剤注入穴３９に接着剤４１を注入するだけであるから、接着剤４１による固定が容易にでき、製造し易い。
【００３６】
接着剤４１はベース５の対向部５ａとフレーム６の対向部６ａとヨーク３の外周面３ａとで囲まれた空間（接着剤充填空間）３１に充填するから、接着剤４１が空間３１からヨーク３の内周側に食み出して流れ出ることを防止でき、接着剤４１の食み出しによるキャリア７への悪影響等を防止することにより製品の歩留まり低下を防止できる。
【００３７】
接着剤４１はベース５の対向部５ａとフレーム６の対向部６ａとヨーク３とで囲まれた空間３１に注入するから、ベース５やフレーム６が薄肉であっても接着剤４１が肉厚となって補強できるので、接合部の剛性やベース５やフレーム６自体の剛性を高めることができる。
【００３８】
フレーム６には、ベース５の外周縁に係止する係止爪３３を設けているので、ベース５とフレーム６とを互いに係止して位置決めした後、安定した状態で接着剤４１の充填ができ、製造しやすい。
【００３９】
係止爪３３による仮止めができるので、仮止め後に組立てたレンズ駆動装置１の検査を行って、検査後に接着剤４１を注入して本止めすることもできるので、検査結果によっては必要な部品を交換して製造でき、歩留まり向上を図ることができる。
【００４０】
ベース５の対向部５ａと、フレーム６の対向部６ａとは当接しており且つ接着剤充填空間３１は組付け方向に沿って設けているので、接着剤４１の充填空間を組付け方向に長く形成でき、必要に応じて接着剤４１が肉厚となる部分を長く取って剛性を十分に高くすることもでき且つ接着強度を高めることができる。
【００４１】
円環状のヨーク３に対して、ベース５とフレーム６との角部５ｂ、６ｂに接着剤注入穴３９、接着剤の充填空間３１及び係止爪３３を配置しているので、接合部を集約できるから、製造が容易であり且つコンパクトである。
【００４２】
本発明は、上述した実施形態に限定されることなく、その要旨を逸脱しない範囲で種々変形して実施可能である。
【００４３】
例えば、ベース５やフレーム６は平面視矩形に限らず、平面視６角形でもよいし円形でもよく、形状は限定されない。
【００４４】
ベース５の対向部５ａとフレーム６の対向部６ａは互いに先端を当接させることに限らず、互いに凹凸にして噛み合わせても良い。
【００４５】
レンズ駆動装置は、携帯電話に組み込まれるカメラに限らず、単体の小型カメラに用いるものであってもよい。
【図面の簡単な説明】
【００４６】
【図１】図２に示すレンズ駆動装置のヨーク、ベース及びフレームの組付け部分を切断して示す斜視図である。
【図２】本実施の形態に係るレンズ駆動装置のキャップ及びカバーを外して示す斜視図である。
【図３】レンズ駆動装置の縦断面図である。
【図４】レンズ駆動装置の分解斜視図である。
【符号の説明】
【００４７】
１              レンズ駆動装置
３              ヨーク
３ａ            外周面
５              ベース
５ａ            対向部
６              フレーム
６ａ            対向部
７              キャリア
１０            コイル
１３            マグネット
２３            レンズ体（レンズ）
３１            接着剤充填空間
３３            係止爪
３７            被係止部
３９            接着剤注入穴
４１            接着剤
【図１】
2007093865.tif 000003
【図２】
2007093865.tif 000004
【図３】
2007093865.tif 000005
【図４】
2007093865.tif 000006